Podtech/llm-jp-corpus-v4-ja_patent huggingface dataset:
(57)【要約】【課題】鳥に恐怖心を与え高い効果のある鳥除け機を提供する。【解決手段】鳥に眼球と思わせるような図柄のある分割された表示板をならべ一瞬に反転表示して鳥を驚かせ追い払う仕組みを備えた。【選択図】図１
2010081928.tif 000002
【特許請求の範囲】
【請求項１】
片面に鳥に眼球と思わせるような図柄のある分割された複数の表示板をならべ、間欠的に反転表示して鳥を驚かせ追い払う装置。
【発明の詳細な説明】
【技術分野】
【０００１】本発明は鳥による農作物や植物の受ける食害や糞害を防止する目的で鳥に眼球と思わせるような図柄のある分割された表示板をならべて一瞬に反転表示して鳥を驚かせ追い払う装置である。
【背景技術】
【０００２】従来鳥害防止や鳥除けとして、鳥の眼球や死骸を模した物や眩惑反射物を設置していた。【０００３】鳥の馴れにより効果の減少を防ぐものとして電動モーターを使って眼球を模した表示が変化するものがある。（例えば、特許文献１参照）【０００４】
【特許文献１】  特開平１１−３４６６３３号公報（段落０００３〜０００６）
【発明の開示】
【発明が解決しようとする課題】
【０００５】しかしながら構造上、表示の変化が緩慢になり、与える恐怖心が弱いことと、構造が複雑になるという問題点がある。
【課題を解決するための手段】
【０００６】そこで本発明はこのような問題を解決しようとするもので、鳥に恐怖心を与え高い効果のある鳥除け機を提供することを目的とするものである。【０００７】本発明は、鳥に眼球と思わせるような図柄のある分割された表示板をならべて一瞬に反転表示して鳥を驚かせ追い払う装置を提供することにより上記課題を解決したものである。
【発明の効果】
【０００８】本発明によれば、鳥に眼球と思わせるような図柄を一瞬に表示するのであたかも猛禽類が「カッ」と眼を開いて威嚇する恐怖心を与えるため鳥除けとして高い効果がありしかも間欠的に表示されるので鳥が馴れるのを防ぐ効果もある。
【発明を実施するための最良の形態】
【０００９】本発明は［図１］に示されるように片面に鳥に眼球と思わせるような図柄を分割して表示した複数の表示板１に固定された回転軸２が側板３で保持されている。【００１０】回転軸２の先端は［図２］のようにアーム４が固定され更に連結板５により互いのアーム４どうしが連結され表示板１が連動して約半回転の範囲で反転可動状態にある。【００１１】また、わずかに表示板１どうしが重なるように重なりしろを設けておく。【００１２】連結板５のＡ点が減速機付きモーター７により回転するカム６に接している。また、連結板５は引きバネ８で常に表示板１が反転表示する方向に張力がかかっている。【００１３】表示板１の図柄は、例えば表示板１が３枚の場合は［図３］のように眼球などの図柄を３分割にしたものにしておく。【００１４】次に動作について説明する。［図４］の実線のように連結板５のＡ点がカム６の山部にあるあいだは連結板５が押し上げられ表示板１が角度９０°以上戻っているため［図５］のように図柄は隠れて正面からは見えない。減速機付きモーター７によりカム６が回転し［図４］の鎖線のようにＡ点がカム６の谷部に落ちると引きバネ８の張力により連結板５が瞬時に引かれアーム４を介し回転軸２に固定されている全ての表示板１が連動して反転し同一平面になり眼球などの図柄が瞬時に［図６］のように現れる。その後カム６の回転により再び連結板５が押し上げられ表示板１の図柄は隠れる。以上の動作を繰り返し眼球と思わせるような図柄を間欠的に表示する。カム６は遅い回転でよいので減速機付きモーター７とその電源は小容量のもので済む。
【産業上の利用可能性】
【００１５】上述の発明は鳥の食害や糞害をなくすための鳥除け機や鳥脅し機として利用可能である。
【図面の簡単な説明】
【００１６】
【図１】  本発明にかかる鳥除け機の構成を示す外観図である。
【図２】  表示板連結部分の拡大図である。
【図３】  表示板１が３枚の場合の図柄の例。
【図４】  カム回転部分の工程図である。
【図５】  全ての表示板１の位置が９０°で図柄が見えない状態の正面図。
【図６】  全ての表示板１が同一平面になり図柄が現れた状態の正面図。
【符号の説明】
【００１７】１  表示板
２  回転軸
３  側板
４  アーム
５  連結板
６  カム
７  減速機付きモーター
８  引きバネ
【図１】
2010081928.tif 000003
【図２】
2010081928.tif 000004
【図３】
2010081928.tif 000005
【図４】
2010081928.tif 000006
【図５】
2010081928.tif 000007
【図６】
2010081928.tif 000008
(57)【要約】      （修正有）【課題】従来、魚を解体し、刺身などに調理する途中で使用する骨抜き器は存在したが、焼き魚、煮魚の骨取りは箸やナイフとフォークを使用し行うのが通常で、子供や高齢者、介護の必要な人など魚が食べたくても自分で上手に骨が取れず困っている人が多くいた。いままでは、簡単に骨を取れる具がなくその人たちは特に苦労していた。そこで、焼き魚、煮魚の骨を簡単に取れるようにした、魚骨取り具を提供する。【解決手段】従来品は金属で挟む構造で一本抜きが原則であった。この発明は焼き魚、煮魚の骨取りを目的にし、一度に太さの異なる複数の骨を取ることを可能にするために支点１で上の柄部２と下の柄部３でとめ、上の柄部２の先には金属の刃部４を下の柄部３の先にはシリコンの抑え部５を取り付けたことを特徴とする。【選択図】図１
2010081927.tif 000002
【特許請求の範囲】
【請求項１】
焼き魚、煮魚の魚骨取り具。
【請求項２】
狭窄部の材質を金属（ステンレス）とシリコンにした、魚骨取り具。
【請求項３】
狭窄部の形状を歯と同じ形状にした、魚骨取り具。
【請求項４】
骨抜き器より狭窄部の幅を広くし、一度に複数の骨を挟むことも可能な形状にした、魚骨取り具。
【発明の詳細な説明】
【技術分野】
【０００１】  この発明は狭窄部にシリコンと金属を使用することで、一度に太さの異なる複数の骨を取ることを可能にした焼き魚、煮魚の魚骨取り器に関するものである。
【背景技術】
【０００２】  従来、魚を解体し、刺身などに調理する途中で使用する骨抜き器は存在したが、焼き魚、煮魚の骨取りは箸やナイフとフォークを使用し行うのが通常で、子供や高齢者、介助がないと魚が食べたくても自分で上手に骨が取れず困っている人が多くいた。いままでは、簡単に焼き魚、煮魚の骨を取れる具がなくその人たちは特に苦労していた。
【発明の開示】
【発明が解決しようとする課題】
【０００３】  これは次のような欠点があった。
（イ）焼き魚、煮魚の骨取り作業が簡単にできなかった。
（ロ）従来の骨抜き器を利用すると、金属同士で挟むために大きい骨を挟めても太さの違う小さな骨を同時に挟めないため、ほぼ一本ずつしか骨取り作業ができなかった。
（ハ）従来の骨抜き器は狭窄部の形状は左右対称のもので直接骨を挟む狭窄部の刃の部分が長く、焼き魚、煮魚の背骨腹骨の骨取りをするとき、骨と狭窄部の刃の角度が斜めになり上手できなかった。
（ニ）従来品の骨抜き器は生魚の骨を抜き取る目的のもので狭窄部が狭く１本ずつの骨抜き作業のもので、数本かためて手早くすることを目的とした焼き魚や煮魚用の骨取り作業の専用の具ではなかった。
（ホ）福祉介護などで、食事介助をするとき骨取り作業を衛生的に手早くする具がなかった。
（ヘ）従来の魚骨抜き器は金属同士で挟み抜く為に、力加減が難しく、弱いと骨が抜けず、強いと骨を切断することもあった。
【課題を解決するための手段】
【０００４】  （１）焼き魚、煮魚の背骨腹骨の骨取りをするとき、魚と器の間に薄く先を少し曲げ水平の形状にし、狭窄部の刃の挿入を容易に、骨と狭窄部の刃の角度を直角になるよう工夫し、手を汚さず、骨取り作業が簡単にできるようにした。
（２）狭窄部の材質を金属とシリコンを採用することにより、大きな骨と小さな骨を同時に挟むことができ複数本の骨取り作業が可能にした。
（３）狭窄部の幅と長さを広げることで、一度により多くの複数の骨取り作業ができるようにした。
（４）支点軸をねじ止めすることにより、分解・組み立てが容易な構造にした。
【発明の効果】
【０００５】  （イ）片手にホークを持ち焼き魚や煮魚を押さえ、空いた片手で魚骨取り器を使用すると手を汚さず、骨取り作業が容易にできるようになった。
（ロ）従来の骨抜き器はほぼ一本ずつしか骨取り作業ができなかった。その理由は生魚の骨を抜くための具であり、骨をしっかり挟み抜く目的があった。焼き魚や煮魚のように加工した魚の骨と身の結合力は生魚の結合力は弱いため骨取り作業も弱い力で出来るので、金属とシリコンで挟むこと構造にすることにより、シリコンの弾力を利用することにより大きな骨と小さな骨を同時に挟み取ることが可能になった。
（ハ）狭窄部を幅広くすることで、一度に複数の骨を取り除くことができ能率が上げることができるようになった。
（ニ）福祉介護の食事のとき魚の骨取り作業をする具がなかったが、本具を使用すると衛生的に早く骨取り作用をすることができる。
（ホ）使用後、分解し簡単に支点部などの細部の洗浄も容易にでき殺菌、乾燥することで安全で衛生的な使用ができる。
【発明を実施するための最良の形態】
【０００６】  以下、本発明を実施するための最良の形態について説明する。
以下、本発明について説明する。
（イ）従来品は金属で挟む構造で一本抜きが原則であった。この発明は焼き魚、煮魚の骨取りを目的にし、一度に太さの異なる複数の骨を取ることを可能にするために支点（１）で上の柄部（２）と下の柄部（３）でとめ、上の柄部（２）の先には金属の刃部（４）を下の柄部（３）の先にはシリコンの抑え部（５）を取り付ける。
（ロ）魚のひれ部（背びれ、腹びれ、しりびれなど）の骨取りは骨取り具を魚のひれ部に刃部（４）と抑え部（５）挟み込んで押し下げるとき、中指と薬指で下の柄部（３）を持ち、親指部で上の柄部（２）を押し下げる。このとき中指と薬指がすべらないように下の握り部（３）をすべりにくい形状にする。
（ハ）腹骨などの骨取りは刃（金属）（４）を熊手の様に使用し、数本の骨を集め（ロ）同様の操作で行うとよい。
（ホ）食事に使用するため支点軸（１）と上の柄部（２）下の柄部（３）と抑え部（５）のシリコンを取りはずし、別々に洗い、殺菌・消毒できるようにする。
（ヘ）骨を挟み取る部分の形状を歯と同じ形状（前歯部は直線、両側部は扇状）にする。
（ト）他は一般のバネ付きハサミと同様の構成とする。
本発明は以上のような構造で、使用するときは図４に示すように骨取り具を垂直にして魚の背びれや腹びれ部に刃部（４）と抑え部（５）挟み込んで押し下げるとき、中指と薬指で下の柄部（３）を持ち、親指部で上の柄部（２）を押し下げて骨を取る。
特に、簡単に魚の骨が取れるので、骨を取ることが苦手で、魚嫌いの人にも喜んでもらえる道具になると期待は大きい。
【図面の簡単な説明】
【０００７】
【図１】  本発明の斜視図
【図２】  本発明の分解斜視図
【図３】  本発明の一部を切り欠いた側面図
【図４】  本発明の使用状態を示す斜視図
【符号の説明】
【０００８】  １支点
２上の柄部
３下の柄部
４刃部
５抑え部
６シリコン
７バネ
８支点軸
【図１】
2010081927.tif 000003
【図２】
2010081927.tif 000004
【図３】
2010081927.tif 000005
【図４】
2010081927.tif 000006
(57)【要約】【課題】  より容易にルアーを水中に潜らせるとともに、水中でのルアーの安定した動きを確保する。【解決手段】ルアー先端部から尾部にかけて溝を設け、先端部の切り込みの溝を利用してはルアーを水中に潜らせ、側面の流水路用溝を使っては水中での安定した姿勢を保ち自然な魚の水中での動きを演出する。【選択図】図２
2010081923.tif 000002
【特許請求の範囲】
【請求項１】
先端部から尾部にかけて溝を有するルアー
【請求項２】
先端部に水抵抗用切り込みを有する請求項１のルアー
【請求項３】
側面に水流路用溝を有する請求項１のルアー
【発明の詳細な説明】
【技術分野】
【０００１】本発明は、魚釣りにおいて餌に代わって使用するルアーに関するものである。
【背景技術】
【０００２】今までのルアーは、ルアー本体下部にリップ状の突起物を有するあるいは側面に当方が特許登録している可動式の鰭（特許第３４８７８３２号）を有するものあるいはルアー本体を分割しそれらを繋ぐジョイント型等のものであった。
【特許文献】特開２００２−２８１８６７号広報
【特許文献】特開２００５−１８５２５４号広報
【特許文献】特開２００５−２０４５７６号広報
【特許文献】特開２００５−２１８３１４号広報
【特許文献】特開２００５−３４８６７３号広報
【特許文献】特開２００５−３４８６８７号広報
【特許文献】特開２００６−４２６３３号広報
【特許文献】特開２００６−６１９９号広報
【発明の開示】
【発明が解決しようとする課題】
【０００３】今までのルアーはルアー本体に水流の抵抗を受けるためのものを装着することにより、魚の泳ぎを演出しようとするものであり、流れの急な場所においては本体に装着したものにより水流抵抗が大きくなり過ぎ、ルアー本体が浮き上がったり不自然な動きをしたりして、水中での魚本来の動きを造り出すには不十分さが見られた。
【課題を解決するための手段】
【０００４】本発明は、ルアー本体の先端鼻先より尾部にかけて水流の通り路の溝を設ける。
【発明の効果】
【０００５】先端部から尾部にかけて溝を設けることにより、先端では鼻先に水抵抗を受けルアーが水中に入り、左右両側面の溝においては水流が通ることによりルアー本体が水中で安定し、より自然な魚の水中での動きを可能とする。
【発明を実施するための最良の形態】
【０００６】以前にも溝付ルアーブランク（特開２００６−１２２０３３）の名のもとに溝付のものがあったが、これにおいて溝は集魚効果のある材質のものを埋めこみフラットにするためのものであり、本発明とはそのねらいにおいてまったく無関係のものであった。本発明においてはルアー本体  に水流の通り路としての溝を設けることにより、ルアーの水中への潜りおよび水中でのより安定した自然な動きの演出を実現した。
【実施例１】
【０００７】以下、本発明の実施例を図面に基づいて説明する。図１は、本ルアーを斜め上方より見た全体図である。【０００８】図２は本ルアー先端部に抵抗用切り込みを、側面に水流路としての溝を入れた図であり、この二者の溝により容易ににルアーを潜らせ、水中での自然な動きを確保する。【０００９】本ルアーにおいての溝の深さはルアー本体の最大厚さの２分の１、幅はルアー本体最大高さの７分の１から６分の１をその目安とする。【００１０】ルアー最先端部には溝の深さと同じ寸法の切り込みを入れ、側面の溝と連続させる。
【産業上の利用可能性】
【００１１】生き餌という管理が極めて面倒なものに代わり、広汎な状況下で餌釣りの代わりに安定的に使用可能である。
【図面の簡単な説明】
【００１２】
【図１】本発明を斜め上方より見た全体図である。
【図２】本ルアーの側面に溝を入れた図である。
【図３】ルアー前部の切り込み状態を示す図である。
【符号の説明】
【００１３】１．前部溝部
２．側面溝部
３．胸鰭
４．腹鰭
５．背鰭
６．アブラ鰭
７．尻鰭
８．尾鰭
【図１】
2010081923.tif 000003
【図２】
2010081923.tif 000004
【図３】
2010081923.tif 000005
【手続補正書】
【提出日】平成21年3月25日(2009.3.25)
【手続補正１】
【補正対象書類名】明細書
【補正対象項目名】０００５
【補正方法】変更
【補正の内容】
【０００５】ルアー本体の先端鼻先切り込み溝部からルアー本体左右の側部、尾部にかけてルアーを周回する連続した一本の溝を設けることにより、先端鼻先切り込み溝部においては水流抵抗を受けルアーが水中に潜り、先端溝部を通りルアー左右両側面および両尾部にかけて周回する一本の連続する溝においてはここを水流が通ることによりルアー本体が水中で水流に従うことにより安定し、水流の変化とともにより自然なルアーによる魚の水中での動きを演出可能とする。
【手続補正書】
【提出日】平成21年3月25日(2009.3.25)
【手続補正１】
【補正対象書類名】明細書
【補正対象項目名】０００４
【補正方法】変更
【補正の内容】
【０００４】本発明は、ルアー本体の先端鼻先には水流抵抗利用の役割を果たす切り込み溝部を、ルアー左右側面から尾部にかけてはルアー先端鼻先の切り込み溝部から連続し、ルアー本体を周回する一本の連続した溝を設けたものである。
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
尾部から側面および鼻先先端部を通り、反対側側面、尾部を通るルアー本体を周回する一本の連続した溝を有するルアー
【請求項２】
先端部に水抵抗用切り込みを有する請求項１のルアー
【請求項３】
側面に水流路用溝を有する請求項１のルアー
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
ルアー本体先端鼻先に水抵抗用切り込みを、ルアー本体の左右側面に前記水抵抗用切り込みから尾部にかけて連続する水流路用溝を、一本の連続した溝となるように設けたことを特徴とするルアー。
(57)【要約】【課題】足底や身体の指圧をより有効に行うために使用する。【解決手段】上グリップ１０と下グリップ１２とを備え、上グリップ１０には指圧棒１４が固定され、下グリップ１２には、指圧棒１４を貫通させる貫通孔１５が設けられ、指圧棒１４の先端周囲に一端を固定し、他端を下グリップ１２の貫通孔１５の近傍に固定された紐状の弾性体と、下グリップ１２に一端を固定し、下グリップ１２と指圧対象との位置関係を保つ結束具を備えた。自分の両手のグリップ力で微妙に変化させる事が出来るので、最も正しい気持ちの良い効果の高い治療へと導くことができる。【選択図】図１
2010081991.tif 000002
【特許請求の範囲】
【請求項１】
上グリップ１０と下グリップ１２とを備え、
前記上グリップ１０には指圧棒１４が固定され、
前記下グリップ１２には、指圧棒１４を貫通させる貫通孔１５が設けられ、
前記指圧棒１４の先端周囲に一端を固定し、他端を下グリップ１２の貫通孔１５の近傍に固定された紐状の弾性体と、
下グリップ１２に一端を固定し、下グリップ１２と指圧対象との位置関係を保つ結束具を備えたことを特徴とする足裏指圧具。
【請求項２】
リング状に結束した紐を筒状のローラパイプに通したものを一対と、その一対の紐を両端に結束した弾性紐を備えたことを特徴とする足裏指圧具。
【請求項３】
請求項２に記載の足裏指圧具において、
前記ローラパイプの外周面に螺旋状突起２６を設けたことを特徴とする足裏指圧具。
【発明の詳細な説明】
【技術分野】
【０００１】
本発明は、足裏を指圧するために使用する足裏指圧具に関する。
【背景技術】
【０００２】
この分野では、既に次のような技術が紹介されている（特許文献１参照）。
【特許文献１】特願２００１−３６９７０２号公報
【発明の開示】
【発明が解決しようとする課題】
【０００３】
既知の従来の技術には、次のような解決すべき課題があった。
指圧はグイグイ押されてただ痛気持ちいいだけでは効果が無いどころか逆に自律神経を興奮させて病態を悪化させてしまうことがある。足で踏む突起の付いた板も同様である。
上記の課題を解決するために、本発明は足底や身体の指圧をより有効に行うために使用する足裏指圧具を提供することを目的とする。
【課題を解決するための手段】
【０００４】
以下の構成はそれぞれ上記の課題を解決するための手段である。
〈構成１〉
上グリップ１０と下グリップ１２とを備え、前記上グリップ１０には指圧棒１４が固定され、前記下グリップ１２には、指圧棒１４を貫通させる貫通孔１５が設けられ、前記指圧棒１４の先端周囲に一端を固定し、他端を下グリップ１２の貫通孔１５の近傍に固定された紐状の弾性体と、下グリップ１２に一端を固定し、下グリップ１２と指圧対象との位置関係を保つ結束具を備えたことを特徴とする足裏指圧具。
【０００５】
〈構成２〉
リング状に結束した紐を筒状のローラに通したものを一対と、その一対の紐を両端に結束した弾性紐を備えたことを特徴とする足裏指圧具。
〈構成３〉
構成２に記載の足裏指圧具において、前記ローラパイプの外周面に螺旋状突起２６を設けたことを特徴とする足裏指圧具。
【発明を実施するための最良の形態】
【０００６】
以下、本発明の実施の形態を実施例毎に詳細に説明する。
【実施例１】
【０００７】
図１は実施例１の足裏指圧具１０の斜視図、図２は足裏指圧具１０の側面図、図３は足裏指圧具１０の底面図である。
図において、足裏指圧具１０は、上グリップ１０と下グリップ１２とを備えている。上グリップ１０には指圧棒１４が固定されている。下グリップ１２には、指圧棒１４を貫通させる貫通孔１５が設けられている。留めゴム１８は、指圧棒１４の先端に空いた小穴を通して下グリップ１２の貫通孔１５周辺に両端を固定されている。この留めゴム１８は、上グリップ１０と下グリップ１２とが分離するのを防止するとともに、指圧棒１４の先端を、常に下グリップ１２の貫通孔１５の近傍に引き戻す役割をする。留めゴム１８は、指圧棒１４の先端周囲に一端を固定し、他端を下グリップ１２の貫通孔１５の近傍に固定された紐状の弾性体であればよい。面ファスナ１６は下グリップ１２に一端を固定しており、下グリップ１２と、指圧対象との位置関係を保つ結束具である。
【０００８】
この足裏指圧具１０は、上グリップ１０と下グリップ１２を手で握ることにより、下グリップ１２に空いている貫通孔１５から指圧棒１４が突き出て、指圧対象の患部を指圧する。その時、足などの患部を押さえるために、面ファスナ１６を結帯する。こうして、面ファスナ１６と下グリップ１２で、指圧対象を挟む。留めゴム１８は押し出された指圧棒１４がまた元の位置に戻るように作用する。
【０００９】
基本的には指圧はグイグイ押されてただ痛気持ちいいだけでは効果が無いどころか逆に自律神経を興奮させて病態を悪化させてしまうことがある。しかし本指圧具はそれを自分の両手のグリップ力で微妙に変化させる事が出来るので、最も正しい気持ちの良い効果の高い治療へと導くものである。よってプロの指圧師の技術を踏襲するかのように自分で足裏を指圧出来るようになった。
【実施例２】
【００１０】
図４は実施例２の足裏マッサージ具の斜視図である。
両足用に２つのローラーパイプ２４に紐２２が通してあり、その紐２２を束ねる様にゴム紐２０が２本の紐２２に通してある。座った状態で床と足の裏の間にローラーパイプ２４を挟んで使用するため、場所をとらず、例えば狭い飛行機のシートに座りながらでも下肢の運動を兼ねて足裏マッサージが出来る。なお、ローラーパイプ２４の形状は球体でもよい。また、材質は樹脂やゴムなど人体に危なくないものなら何でもよい。即ち、リング状に結束した紐を筒状のローラに通したものを一対と、その一対の紐を両端に結束した弾性紐により、両足の血行を同時によくする器具が得られる。
【実施例３】
【００１１】
図５は実施例３の足裏マッサージ具の斜視図である。
この実施例では、ローラパイプ２４の外周面に螺旋状突起２６を設けた。この足裏指圧具は、足をローラパイプ２４の上に乗せて、床の上でローラパイプ２４を転がすようにすると、刺激される場所が連続的に移動する。従って、血行をよくする効果が高い。
【図面の簡単な説明】
【００１２】
【図１】実施例１の足裏指圧具１０の斜視図
【図２】足裏指圧具１０の側面図
【図３】足裏指圧具１０の底面図
【図４】実施例２の足裏マッサージ具の斜視図
【図５】実施例３の足裏マッサージ具の斜視図
【符号の説明】
【００１３】
１０  上グリップ
１２  下グリップ
１４  指圧棒
１５  貫通孔
１６  面ファスナ
１８  留めゴム
２０  ゴム
２２  紐
２４  ローラーパイプ
２６  螺旋状突起
【図１】
2010081991.tif 000003
【図２】
2010081991.tif 000004
【図３】
2010081991.tif 000005
【図４】
2010081991.tif 000006
【図５】
2010081991.tif 000007
(57)【要約】【課題】  高速搬送される大型ガラス基板の搬送速度を落とさず、乾燥するエアの使用量を低減した基板乾燥装置を提供する。【解決手段】  大型ガラス基板１０が搬入される入口から搬出される出口に向かって開口が次第に大きくなる台形状のフード２０と、大型ガラス基板１０の両面に乾燥エアを噴射するエアナイフ３０−１、３０−２と、大型ガラス基板１０の片面に位置しイオンを発生するイオナイザー４０とを含む。【選択図】      図１
2010069392.tif 000002
【特許請求の範囲】
【請求項１】
高速搬送される大型ガラス基板を乾燥する基板乾燥装置であって、
前記大型ガラス基板が搬入される入口から搬出される出口に向かって開口が次第に大きくなる台形状のフードと、
前記大型ガラス基板の両面に乾燥エアを噴射するエアナイフとを含むことを特徴とする基板乾燥装置。
【請求項２】
前記フードは、熱風供給口を有することを特徴とする請求項１に記載の基板乾燥装置。
【請求項３】
前記フードは、ＳＵＳ材により形成され、電気的に接地されていることを特徴とする請求項１または２のいずれかに記載の基板乾燥装置。
【発明の詳細な説明】
【技術分野】
【０００１】
本発明は、高速搬送される大型ガラス基板の乾燥に係り、詳しくは、高速搬送される大型ガラス基板を乾燥するエアの使用量を低減した基板乾燥装置に関する。
【背景技術】
【０００２】
ガラス基板の一辺が１ｍを超える大型基板となるに伴って、基板の搬送速度も高速化される傾向にある。この大型ガラス基板の洗浄後の乾燥工程において、基板が高速搬送されることにより、リンス用の純水が大面積の基板面に残留し、シミ等が発生する要因となった。このため、エアナイフを多段に設置して基板面に残留した純水を取り除く必要が生じ、エアの使用量が増加して、乾燥工程のコストに影響を与える要因となっていた。
【０００３】
特許文献１には、上下に設けたエアナイフノズルからのエア噴射領域において、コンベア手段による基板の搬送領域の外側であって、基板のうち、エア噴射領域に最初に突入する角隅部に臨む側部と平行となる位置に整流板が固定的に配置されており、ノズル口から噴射されるエアはこの整流板により隔離され、しかもエアは整流板の表面にガイドされて、整流状態で流れるようにしている、旨の記載がある。
【特許文献１】特開２００２−１１０６２２号公報
【発明の開示】
【発明が解決しようとする課題】
【０００４】
本発明は、このような問題を解決するためになされたものであり、その目的は、高速搬送される大型ガラス基板の搬送速度を落とさず、乾燥するエアの使用量を低減した基板乾燥装置を提供することを目的とする。
【課題を解決するための手段】
【０００５】
本発明の基板乾燥装置は、高速搬送される大型ガラス基板を乾燥する基板乾燥装置であって、大型ガラス基板が搬入される入口から搬出される出口に向かって開口が次第に大きくなる台形状のフードと、大型ガラス基板の両面に乾燥エアを噴射するエアナイフとを含むことを特徴とする。
【０００６】
本発明の基板乾燥装置のフードは、熱風供給口を有することを特徴とする。
【０００７】
本発明の基板乾燥装置のフードは、ＳＵＳ材により形成され、電気的に接地されていることを特徴とする。
【発明の効果】
【０００８】
本発明によれば、高速搬送される大型ガラス基板の搬送速度を落とさず、乾燥するエアの使用量を低減することができるため、乾燥工程のコストに影響を与えることなく高速乾燥できる基板乾燥装置を提供することが可能となる。
【発明を実施するための最良の形態】
【０００９】
本発明の実施の形態について、図を用いて説明する。図１は、本発明による基板乾燥装置の構成を示す装置構成図である。図１において、基板乾燥装置１００は、大型ガラス基板１０がローラ５０−１、５０−２により搬入される入口から搬出される出口に向かって開口が次第に大きくなる台形状のフード２０と、大型ガラス基板１０の両面に乾燥エアを噴射するエアナイフ３０−１、３０−２と、大型ガラス基板１０の片面に位置しイオンを発生するイオナイザー４０とを含んでいる。フード２０は、ＳＵＳ材により形成されて電気的に接地されており、且つ、熱風供給口２２を有している。
【００１０】
大型ガラス基板１０は、矢印方向に図面左から右に向かって、ローラ５０−１、５０−２により搬送される。台形状のフード２０は、大型ガラス基板１０が搬入される入口から搬出される出口に向かって開口が次第に大きくなっている。エアナイフ３０−１、３０−２は、大型ガラス基板１０の基板面に対し、直角から搬送方向に所定の角度だけ傾いて設置され、基板の両面に乾燥エアを噴射する。フード２０の入口と大型ガラス基板１０との間隙は、２〜１０ｍｍであり、出口とエアナイフ３０−１、３０−２との距離は、５〜３０ｍｍである。
【００１１】
これにより、エアナイフ３０−１、３０−２から大型ガラス基板１０の両面に噴射された乾燥エアは、基板乾燥装置１００内のエアを巻き込んでフード２０に流入するため、この装置内エアも乾燥に寄与することができる。装置内エアと共に流入した乾燥エアは、フード２０内で絞り込まれ、基板の両面に噴射されたときの流速に近い速度でフード２０から流出するため、エアナイフと等価の乾燥効果が得られる。このためエアナイフは、エアナイフ３０−１、３０−２による一段で良く、多段のエアナイフは必要無くなる。
【００１２】
また、乾燥ムラが生じないためには、基板面に残留した純水がエアナイフ３０−１、３０−２から噴射された乾燥エアにより瞬間に乾燥する程度に、基板全面がムラなく濡れていることが望ましい。この濡れ具合の調整は、フード２０の長さ、角度、ギャップなどの形状を、エアナイフ３０−１、３０−２による乾燥エアの流速、および大型ガラス基板１０の搬送速度に対応して所定の値に設定することにより、多段のエアナイフによる噴射速度の調整に比べ、容易に調整することが可能である。
【００１３】
このように、エアナイフが一段で良く、且つ、装置内エアも利用することができるため、乾燥するエアの使用量を低減することができる。また、フード２０の熱風供給口２２から、熱風を供給することにより、乾燥エアの低減を一層高めることが可能となる。高速エアにより大型ガラス基板１０に発生する静電気は、イオナイザー４０が発生するイオンにより中和され、フード２０に発生する静電気は、ＳＵＳ材が電気的に接地されることにより、取り除かれる。
【００１４】
以上説明したように本発明によれば、高速搬送される大型ガラス基板の搬送速度を落とさず、乾燥するエアの使用量を低減することができるため、乾燥工程のコストに影響を与えることなく高速乾燥できる基板乾燥装置を提供することが可能となる。また、高速エアにより発生する静電気も容易に除去されるため、静電気による異物の基板への付着を抑制又は防止して高速乾燥できる基板乾燥装置を提供することが可能となる。
【図面の簡単な説明】
【００１５】
【図１】本発明による基板乾燥装置の構成を示す装置構成図。
【符号の説明】
【００１６】
１０  大型ガラス基板
２０  フード
２２  熱風供給口
３０−１、３０−２  エアナイフ
４０  イオナイザー
５０−１、５０−２  搬送ローラ
１００  基板乾燥装置
【図１】
2010069392.tif 000003
(57)【要約】【解決手段】廃材粉砕時に、水溶シランカップリング材または凝集コーテイング材を噴霧、加熱処理をして、アルカリ中和と防塵凝集する。その後に、必要樹脂を必要量注入して固化することで透水管を得る。【効果】汚染された土壌から重金属、有機物を透水管を使用して取り込み公知の方法で処理して汚染土壌を再生させる効果を有する【選択図】なし【特許請求の範囲】
【請求項１】
汚染土壌中に透水管を打ち込み、汚染土壌中に存在する水可溶性重金属、液体の有機物を透水管中に取り込み、取り込まれた重金属水溶液、液状有機物を公知の手段で除去する方法。
【請求項２】
請求項１において取り込まれた重金属水溶液に硫化ソーダ、水硫化ソーダ、硫化水素の少なくとも１種を添加し、重金属を不溶化する方法。
【請求項３】
請求項１において取り込まれた有機物を加熱蒸発させるか、有機物分解微生物、界面活性剤、オゾンの少なくとも１種を添加して分解するか、コロナ放電により分解する方法。
【発明の詳細な説明】
【技術分野】
【０００１】
本発明は、汚染された土壌の処理方法に関する。
【背景技術】
【０００２】
重金属とか有機物に汚染された土壌は、そのままではその上に建築物などを建設することはできない。また、雨などにより、重金属、有機物が流出し、環境汚染を引き起こす。
【発明の開示】
【発明が解決しようとする課題】
【０００３】
本発明は、かかる現状に鑑み汚染土壌から重金属、有機物を除去することを目的とする。
【課題を解決するための手段】
【０００４】
本発明は、汚染土壌中に透水管（水溶液、液体を通過可能にした中空の管）を打ち込み、周りの土壌に水を加えて重金属水溶液や有機物を取り込み、該内容物を公知の手段で処理する方法である。場合によっては、透水板で囲っても良い。透水管としては、液体が通過する壁を有する中空の管であり、土壌中の重金属水溶液や液状有機物を透水管の中に取り込むことができる。透水管としては既存のものであれば何でもよいが、例えば特願２００８−１６４８４６、特願２００８−１６６４３２に記載されている透水管が好適に用いられる。
【０００５】
透水管に取り込まれた有害物の処理は、一番簡単な方法としてはそのまま地中深く埋め込むことである。また、重金属水溶液、有機物の処理は、公知の方法であれば何でも良いが、例えば重金属は、硫化ソーダ、水硫化ソーダ、硫化ソーダの少なくとも一種と反応させ、難溶性の沈液として濾過除去する。有機物の除去の一例を挙げれば、加熱蒸発、有機物分解微生物を添加、界面活性剤（例えばオキシエチレン鎖やベンゼン環を持つ界面活性剤）を添加、オゾンガスの吹き込み、又はコロナ放電により分解除去する。
【発明の効果】
【０００６】
本発明は、汚染された土壌から重金属、有機物を透水管を使用して取り込み公知の方法で処理して汚染土壌を再生させる効果を有する。
【発明を実施するための最良の形態】
【０００７】
使用する透水管は、口径２５０ミリメートル、長さ２メートル位の物が使用に便利である。どんなものでも良いが、特願２００８−１６４８４６記載の透水管が安価で好適である。透水管を構成する素材には、ガラス繊維強化ＦＲＰ廃材、石綿強化ＦＲＰ廃材、石膏ボード廃材など廃強化繊維と粉体廃材を必要な透水機能と強度を得る配合した砂状素材と、熱硬化性樹脂(例えば、不飽和ポリエステル樹脂)を使用することで、環境廃棄物を主体に再生した材料から透水管が得られる。透水管を構成する再生材料は、ＦＲＰ廃材、石膏ボード廃材の少なくとも１種を粉砕して砂状素材に加工を行うとき、ＰＨ４程度の弱酸水溶液に加水分解してなる有機系シリコン(シラン表面処理剤)水溶液を噴霧して粉塵吸着を行い、乾燥脱水してシラン表面処理剤が粉砕素材を表面コート、素材の持つ有害アルカリ性を中和・遮断、樹脂との化学結合を行わせ、廃材を再生する。再生材の無機骨材に透水性が確保できる添加量５質量パーセントから２０質量パーセントのエポキシ樹脂または不飽和ポリエステル樹脂を添加、遠心成形や圧縮成形により加熱硬化して一体固化する。
【０００８】
透水管に取り込まれた液の処理は、既述の如く公知の方法で処理すれば良い。
【実施例１】
【０００９】
ガラス繊維強化ＦＲＰ・石綿強化ＦＲＰなどの有害な廃材及び紙質部を除去した石膏ボードの廃材を粉砕加工時に防塵目的と素材アルカリ性の中和目的に、水溶性のエポキシ、酢酸ビニル、アクリル樹脂など凝集材を単独または併用して１質量パーセントから５質量パーセント溶解してなる溶液を加工時の粉塵吸着対策に噴霧などする。粉砕された砂状破砕は凝集材が混入する溶液中に置き、破砕素材が透水性を得るに必要な０．０１ミリメートルから３ミリメートルの複合粒子径となるように配合、液状の溶融素材を透水管の形状を成す遠心形成型内に回転しながら投入、脱水しながら内面を転圧均一加工、高速脱水回転後に加熱して凝集材(樹脂)を乾燥固化して管を形成、必要によっては管本体または管の両端部に不飽和ポリエステル樹脂を追加し添加量５質量パーセントから２０質量パーセント好ましくは１０質量パーセントを浸透させ、樹脂で固化して透水管を作る。得られた透水管を透水管Ａと称す。透水管の口径は２５０ミリメートル、長さは２メートルであった
【実施例２】
【００１０】
汚染土壌に穴を掘り、透水管Ａを埋め込み、汚染土壌に水を散布して含まれる重金属を溶出し、液状有機物を含めて透水管に移動させ、得られた液をタンクに集めて、そのタンクに水硫化ソーダ（ＮａＳＨ）を投入し、存在する重金属を水不溶性の硫化物として沈澱させ、濾過して除去した。更に、液水に存在する液状有機物を分解するため名東化製(株)社製の有機物分解微生物ＢＦＬ５９００ＰＨを添加して有機物を分解した。
(57)【要約】      （修正有）【課題】素材の物理的性質を飛躍的に高める。【解決手段】ナノ技術を使って、超微小の網状累重構造をつくることによって、素材の物理的性質を飛躍的に増強する。この構造を持つ素材は、先端機器に埋め込まれ、素材の物理的性質の増強により、効果を高め、機器を更に小さくする。稀少素材の有効利用をはじめ、あらたなナノ技術の革新の契機となる。【選択図】図１
2010069610.tif 000002
【特許請求の範囲】
【請求項１】
素材を超微小の網状累重構造（１）を持つように作成することによって、素材の物理的性質を増強する。
【発明の詳細な説明】
【発明の詳細な説明】
【技術分野】
【０００１】  この発明は素材に超微小の網状累重構造をつくるナノ工学技術である。１９６５年頃、地質構造を研究中に、岩石の断裂構造に見出した網状累重構造を工学に適用することである。ナノ工学技術が発達した現在、この構造を工学的に作成することが可能であり、素材の物理性質の増強（新素材の開発）に役立つものと考えられる。
【背景技術】
【０００２】  従来のナノ技術は素材の純度と短小化・薄膜化に依存している。
【発明が解決しようとする課題】
【０００３】  従来の技術には、次のような欠点がある。
（イ）純粋な単体（高純度）を短小化・薄膜化してきたが、性質の増強に十分に成功していない。
（ロ）環境重視社会への急激な移行にあたり、ナノ工学技術は純度を高めること、短小化・薄膜化することだけでなく、素材物理性質を増強することによって、素材の使用を減少させることが必要である。
（ハ）ナノ工学技術でしようされる素材には、稀少な素材が多く、従来の技術ではあらたな資源問題を引き起こす。
この発明は、これらの欠点を克服することができる。
【問題を解決するための手段】
【０００４】  素材の純度を高めること、短小化・薄膜化することに加えて、超微小の網状累重構造を持つように加工する。
【発明を実施するための最良の形態】
【０００５】  以下、発明の実施の形態について説明する。
ナノ技術を使って超微小体をつくる。そして（１）のように重ねて合わせた網状累重構造をつくる。
本発明は以上のような構造で、素材の物理的性質の増強を図る。
【発明の効果】
【０００６】  現在のナノ工学技術を用いれば、素材の必要な物理的性質の増強を多くの素材に対して実現することができる。
この構造を持つ素材は、先端機器に埋め込まれ、素材の物理的性質の増強により、効果を高め、機器を更に小さくする。
稀少素材の有効利用をはじめ、あらたなナノ技術の革新の契機となる。
【図面の簡単な説明】
【図１】  網状累重構造の概念図
【図２】  網状累重構造の詳細図
【図３】  図面  ２の詳細図
【図１】
2010069610.tif 000003
【図２】
2010069610.tif 000004
【図３】
2010069610.tif 000005
(57)【要約】      （修正有）【課題】ゴルフスイングの素振り練習は、ゴルフクラブまたは練習器具の最下部が床面または地面に接地するようにして行われるのが望ましい。しかしながら、室内や硬い地面上で素振り練習をする際に、ゴルフクラブまたは従来の練習器具では、それらの最下部が床面または地面に接地するように振るのは困難であった。なぜなら、ゴルフクラブや練習器具に傷がついたり、または床面を破損したりする可能性が高いからである。また、硬い地面や床面にゴルフクラブや練習器具の最下部が接地するようにして素振りをした場合、手首や肘などの身体の部位の損傷の可能性を解決するための練習器具を提供する。【解決手段】ゴルフクラブ用シャフトの細い側の先端に、例えばブラシなどのような柔らかく滑らせやすい弾性体がついたヘッド部を装着する。ゴルフクラブ用シャフトの太い側の末端に、ゴルフクラブ用グリップを装着する。【選択図】図１
2010069260.tif 000002
【特許請求の範囲】
【請求項１】
ブラシなどのような柔らかく滑らせやすい弾性体をゴルフクラブの最下部に装着したゴルフスイング練習器具。
【発明の詳細な説明】
【技術分野】
【０００１】  本発明は、ゴルフスイングの素振りをするための練習器具に関するものである。
【背景技術】
【０００２】  従来、ゴルフスイングの素振り練習は、ゴルフクラブや、地面に接地することのない素振り用のゴルフスイング練習器具を用いて行われていた。
【発明の開示】
【発明が解決しようとする課題】
【０００３】  通常、ゴルフにおける良いショットは、ティーショットを除き、インパクトの瞬間またはインパクトの直後にゴルフクラブの最下部が地面（芝）に接地するようにして、打たれる。
よって、ゴルフスイングの素振り練習も、ゴルフクラブまたは練習器具の最下部が床面または地面に接地するようにして行われるのが望ましい。
しかしながら、室内や硬い地面上で素振り練習をする際に、ゴルフクラブまたは従来の練習器具では、それらの最下部が床面または地面に接地するように振るのは困難であった。
なぜなら、ゴルフクラブや練習器具に傷がついたり、または床面を破損したりする可能性が高いからである。
また、硬い地面や床面にゴルフクラブや練習器具の最下部が接地するようにして素振りをした場合、手首や肘などの身体の部位の損傷の可能性も高い。
本発明は以上のような問題点を解決するためになされたものである。
【課題を解決するための手段】
【０００４】  ゴルフクラブ用シャフトの細い側の先端に、例えばブラシなどのような柔らかく滑らせやすい弾性体がついたヘッド部を装着する。
ゴルフクラブ用シャフトの太い側の末端に、ゴルフクラブ用グリップを装着する。
以上の構成よりなるゴルフスイング練習器具。
【発明の効果】
【０００５】  ゴルフクラブや練習器具に傷をつけず、また床面を破損することもなく、また手首や肘などの身体の部位を損傷することもなく、本発明により、練習器具最下部が地面に接地するような理想的で安全なゴルフスイングの素振り練習が可能となる。
【発明を実施するための最良の形態】
【０００６】  以下、本発明の実施の形態を説明する。
（イ）本発明で用いるゴルフクラブ用シャフト（１）は、通常のゴルフクラブと同様に、スチール製ないしはカーボングラファイト製のゴルフクラブ用シャフトを用いる。
（ロ）本発明で用いるゴルフクラブ用グリップ（２）は、通常のウッドクラブ・アイアンクラブで使用するようなラバー製のゴルフクラブ用グリップを用いる。
（ハ）グリップ（１）は、シャフト（２）の太い側の末端に、通常のゴルフクラブと同様に装着する。
（ニ）練習器具のヘッド部（３）には、ゴルフクラブ用ヘッドで言う所のソール部分に例えばブラシなどのような柔らかく滑らせやすい弾性体を装着する。
（ホ）ヘッド部（３）は、シャフト（２）の細い側の先端に、通常のゴルフクラブ用ヘッドと同様に装着する。
（ヘ）本発明の練習器具の長さは、通常のゴルフクラブと同様の長さ（１８インチ以上、４８インチ以下）とする。
（ト）本発明の練習器具のスイングウェイトバランスは通常の市販のゴルフクラブ同様に、男性用であればＤ０〜Ｄ２程度、女性用であればＣ８〜Ｄ０程度とし、そのようなスウィングウェイトバランスとなるようにヘッド部（３）の重量を決定する。
（チ）ヘッド部（３）とシャフト（１）で作られる角度（ライ角）は、通常のゴルフクラブと同様に５５°〜６５°程度とする。
（リ）室内でも使用できるようにすることを考慮すると、クラブ長３５インチ程度、男性用であればスイングウェイとバランスＤ２程度、ライ角６４°程度、が妥当と考えられる。
本発明は以上のような構造である。
本発明を使用する時は、通常のゴルフクラブで素振りをするのと同様に、本練習器具を用いて素振りをする。
その際、ヘッド部（３）の最下部が床面または地面に接地するようにして、素振りを行うと、より実戦に近い素振り練習となる。
【図面の簡単な説明】
【０００７】
【図１】本発明の斜視図（ブラシを用いた例）
【符号の説明】
【０００８】  （１）シャフト、（２）グリップ、（３）ヘッド部、（４）ブラシ
【図１】
2010069260.tif 000003
(57)【要約】【課題】  本発明は、卵の転がりを防止し、卵に適切な大きさのヒビを入れ、卵が上手く割れるよう補助する卵立て付き卵割補助具を提供する。【手段】  本体（１）に三角柱体（２）を斜めに設け、本体（１）の底に吸盤、マグネット等の着脱可能な固着部材（３）を設け、連結材（５）の先端に卵が固定可能な大きさの輪（４）を設けたことを特徴とした卵立て付き卵割補助具。【選択図】図１
2010069264.tif 000002
【特許請求の範囲】
【請求項１】
本体（１）に三角柱体（２）を斜めに設け、本体（１）の底に吸盤、マグネット等の着脱可能な固着部材（３）を設け、連結材（５）の先端に卵が固定可能な大きさの輪（４）を設けたことを特徴とした卵立て付き卵割補助具。
【請求項２】
本体（１）を、人形又は動物の形にした請求項１の卵立て付き卵割補助具。
【発明の詳細な説明】
【技術分野】
【０００１】  本発明は卵を上手に割るための補助となり、また、平らな面に卵を置いた際の転がりを防止する卵立て付き卵割補助具に関するものである。
【背景技術】
【０００２】  従来、家庭で、卵はまな板や鍋の淵を利用して割る。また、転がりについては、平らな面にそっと置くことで防止したり、凹型容器の卵立てを利用して転がりを防止している。
このとき、くりぬき部分で卵を保管し、平らな面で卵を割る卵立て付き割卵器や爪で卵に傷をいれ卵を割る卵割り付き卵立てが知られている。（特許文献１、２参照）
【特許文献１】登録実用新案第３０３５４６１号
【特許文献２】特許公開−公報２０００−１１６５４８
【発明の開示】
【発明が解決しようとする課題】
【０００３】  卵をまな板や鍋の淵を利用して割るとき次のような問題点があった。
まな板を使用した場合、卵表面が板に当たる面積が大きくなりやすく、必要以上にヒビが入り、潰れやすい。
鍋の淵を利用した場合、卵の殻の破片が淵に残り、ときに料理中の鍋の中へ入ることもある。
転がりについては、そっと置いてもストッパーがない限り、不意にあたって転がることもある。容器型の卵立ては、保管時にスペースをとる。
特許文献１ついては、平らな面で割るということが、まな板を利用する場合と同じと考えられる。
特許文献２については、爪で殻にキズをつけていく間に卵の中身が漏れる恐れがあると思われ、また、保管の場所が据え置きに限られる。
本発明は、以上の問題を解決し、平らな部分に置いても卵が転がらぬよう本体の先に輪を設け、卵を置けるようにし、そして、三角柱体に卵を当てることにより卵に適切な大きさのヒビを入れ、卵が割れるようになされたものである。
【課題を解決するための手段】
【０００４】  本体（１）に三角柱体（２）を斜めに設ける。
本体（１）の底に吸盤、マグネット等の着脱可能な固着部材（３）を設ける。
連結材（５）の先端に卵が固定可能な大きさの輪（４）を設ける。
以上のように構成された卵立て付き卵割補助具。
【発明の効果】
【０００５】  本体に付した三角柱体に卵を当てた場合、殻に入るキズの大きさが、長さ、奥行きとも三角柱体の大きさに収まるので、必要以上にヒビが入り、卵が潰れる、ということを防げる。
また、殻の破片や卵白が鍋などの調理器具に残ることがなくなる。
先端に卵が固定可能な大きさの輪を持つ連結材を本体に付け、輪に卵を置くことで、卵の転がりを防止する。
使用後は先端の卵の転がりを押さえる為の輪をフック等にかけることで、壁掛けの状態でも保管できる。
【発明を実施するための最良の形態】
【０００６】  以下、本発明の実施の形態を説明する。
（イ）本体（１）に三角柱体（２）を斜めに設ける。
（ロ）本体（１）の底に吸盤、マグネット等の着脱可能な固着部材（３）を設ける。
（ハ）連結材（５）の先端に卵が固定可能な大きさの輪（４）を設ける。
本発明は以上の構成よりなる。
本発明を使用する場合は、吸盤、マグネット等の着脱可能な固着部材（３）を平らな面に押し付け、本体を固定させ、三角柱体（２）を利用し卵を割る。
先端の輪（４）に卵を置き、転がりを防止する。
本発明を保管する際は輪（４）をフック等に掛ける。
【発明の実施例】
【０００７】  以下添付図面に基いてこの発明の実施例を説明する。
ただし、本実施例はこの発明の一例であり、この実施例に限定をするものではない。
図５は、第１例であり本体（１）を動物の形にし、三角柱体（２）をくちばしに見立てたものである。
輪（４）に卵を置いている状態である。
【発明の効果】
【０００８】  本発明に於ける請求項２のものでは、本体を人形又は動物の形にすることで、見た目を楽しめる。
【図面の簡単な説明】
【０００９】
【図１】  本発明の正面図である。
【図２】  本発明の背面図である。
【図３】  本発明の側面図である。
【図４】  本発明をフックへ掛けた時の説明図である。
【図５】  本発明の実施第１例を示した説明図である。
【符号の説明】
【００１０】      １  本体
２  三角柱体
３  固着部材
４  輪
５  連結材
６  フック
７  卵
【図１】
2010069264.tif 000003
【図２】
2010069264.tif 000004
【図３】
2010069264.tif 000005
【図４】
2010069264.tif 000006
【図５】
2010069264.tif 000007
(57)【要約】【課題】従来のアレンジメント用の花器では、バスケットの水が漏れ、その他の素材の花器が割れやすく持ち帰りに困難であり、更に持ち帰りのバックが必要になり経費が高くなく、花器その物を変える事が非常に難しく花と器、全体の雰囲気やデ−ジャインが出来ない事。【解決手段】合成樹脂製でできた一枚の板を組み立てる事によってできた物。何度も上塗りした着色。リボンにより型が固定されている。側面に隙間を作ってあるこれにより、簡単に組み立てが可能で、一枚で出来ているので軽く、水が漏れなくなり、濃い着色により直接オアシスを使ってもオアシスの色を気にせずにデザインできる。これによって花のイメージにより合ったデザインが出来る。リボンでの固定により安定性が増加。側面の隙間にリボンを通すなどして、自分なりのデザインが可能。リボンや紐など素材の色や質感を変える事で、商品の付加価値や色を変える事が可能。【選択図】図４
2010069265.tif 000002
【特許請求の範囲】
【請求項１】
この発明は組み立ての式合成樹脂製ででき、平面な物ですので保管する場所を取らず簡単に折りたためる事で花器になります。
合成樹脂製の花器ですので、軽くて水が漏れなく、花の状態の維持を助けます。
【請求項２】
何度も上塗りした合成樹脂製の花器ですので直接オアシスを使ってもオアシスの色を気にならずデザイン出来ます。
【請求項３】
リボンや紐等で花器が完成出来るようなっていて、そのリボンや紐など素材に色や質を変える事で商品の付加価値や色を変えることもでき、花のイメージにより、合ったデザインが出来ます。
【発明の詳細な説明】
【技術分野】
【０００１】本発明は花屋等、事業用の折りたたみ式の花器に関する。
【背景技術】
【０００２】従来花を装飾等、アレンジメントをデザインするさい、使われる花器は『バスケット・瀬戸物・硝子・紙』の素材である。
バスケットでモダンな雰囲気を出す事は難しく、それ以外素材で花器を持ち帰りや、運送する時に破損する可能性が高い物です。さらにリボンや紐等で花に合う雰囲気に合ったデザインができ、器と花全体を上手く調和する事が出来る。【０００３】以下、図１．２．３．により説明する。
【特許文献１】
【非特許文献１】合成樹脂製の折りたたみ式の花器
【発明の開示】
【発明が解決しようとする課題】
【０００４】従来のアレンジメント用の花器では、バスケットは節約ガ出来、水が漏れ、その他の素材の花器が割れやすく持ち帰りに困難であり、更に持ち帰りのバックが必要になり経費が高くなく、花器その物や色を変える事が非常に難しく花と器、全体の雰囲気やデ−ジャインが出来ない事。
【課題を解決するための手段】
【０００５】合成樹脂製でできた一枚の板を組み立てる事によってできた物。
何度も上塗りした着色。
リボンにより型が固定されている。
側面に隙間を作ってある
【発明の効果】
【０００６】簡単に組み立てが可能で、一枚で出来ているので軽く、水が漏れなくなり、濃い着色により直接オアシスを使ってもオアシスの色を気にせずにデザインできる。これによって花のイメージにより合ったデザインが出来る。
リボンでの固定により安定性が増加。
側面の隙間にリボンを通すなどして、自分なりのデザインが可能。
リボンや紐など素材の色や質感を変える事で、商品の付加価値や色を変える事が可能。
【発明を実施するための最良の形態】
【０００７】以下、図１．２．３．４に基づいて説明する。
【産業上の利用可能性】
【０００８】生花装飾・アレンジメント・プリザブート・装飾  観葉植物の容器等で
【図面の簡単な説明】
【０００９】
【図１】平面を表す図面
【図２】折りたたみリボンで固定した図面
【図３】取っ手を付けた図面
【図４】完成した花器に花を装飾した図面
【図１】
2010069265.tif 000003
【図２】
2010069265.tif 000004
【図３】
2010069265.tif 000005
【図４】
2010069265.tif 000006